(57)【要約】【課題】部品点数を減少させ、組み立てに手間がかからず、コストを低減することができる漏電遮断器の漏電表示装置を提供する。【解決手段】電磁石装置２の電磁コイル７が巻回されるボビン６に弾性係止片６ｂを一体に形成し、漏電の発生時、電磁石装置２の電磁コイル７が通電して励磁することによってプランジャー８がスプリング９のバネ力に抗して電磁コイル７に吸引された際に、弾性係止片６ｂの係止突起６ｃとプランジャー８の係止凹部８ｂが係止してプランジャー８が元の位置に戻らないようにし、漏電表示ボタン４が遮断器ケース３の上面から突出して確実に漏電を表示する。【選択図】　　　　図１
2004055421.tif 000002
【特許請求の範囲】
【請求項１】
漏電が発生した際に電磁石装置の電磁コイルに通電し、該電磁コイルが励磁してプランジャーがスプリングの力に抗して吸引され、該プランジャーと漏電表示ボタンの係止が解除され、バネによって前記漏電表示ボタンが押し上げられて遮断器ケースから外部に突出し、漏電が発生したことを知らせる漏電遮断器の漏電表示装置において、前記電磁石装置の電磁コイルが巻回されるボビンに弾性係止片を一体に形成し、漏電発生時に前記プランジャーが前記電磁コイルに吸引された際に前記プランジャーと前記弾性係止片とが係止することを特徴とする漏電遮断器の漏電表示装置。
【発明の詳細な説明】
【０００１】
【発明の属する技術分野】
本発明は、漏電発生時に遮断器ケースから漏電表示ボタンを突出させて漏電が発生したことを知らせる漏電遮断器の漏電表示装置に関する。
【０００２】
【従来の技術】
従来、図３及び図４に示すように漏電遮断器の漏電表示装置２１は、電磁石装置２２と一体に設けられ、遮断器ケース２３の上面から出没自在に設けられた漏電表示ボタン２４と、この漏電表示ボタン２４を遮断器ケース２３の上面から突出させるために上方へ付勢するバネ２５とで構成されている。
【０００３】
通常時、漏電表示ボタン２４はバネ２５の力に抗して押し下げられ、漏電表示ボタン２４の段部２４ａが電磁石装置２２の引き外し片３０の係止孔３０ａに係止して遮断器ケース２３から突出しない状態に保持されている。漏電が発生すると、電磁石装置２２の電磁コイル２７が通電して励磁し、これによってスプリング２９のバネ力に抗してプランジャー２８を吸引し、プランジャー２８の先端に係合した引き外し片３０が移動することにより、引き外し片３０と漏電表示ボタン２４との係止が解除され、バネ２５の力によって漏電表示ボタン２４が押し上げられ、漏電表示ボタン２４の先端が遮断器ケース２３から突出して漏電を表示するようになっている。
【０００４】
しかし、漏電表示ボタン２４が押し上げられる前にスプリング２９の力によって引き外し片３０が元の位置に戻ってしまった場合、表示不良となっていた。そこで、電磁石装置２２のボビン２６に板バネ３１を取り付け、プランジャー２８が電磁コイル２７に吸引された際に引き外し片３０の突起３０ｂが板バネ３１に係止するようにして確実に表示がされるようにしていた。
【０００５】
【発明が解決しようとする課題】
そのため、部品点数が増加するし、電磁石装置の組み立てに手間がかかり、コストが高くなるという問題があった。
【０００６】
そこで上記問題点に鑑み、本発明の目的は、部品点数を減少させ、組み立てに手間がかからず、コストを低減することができる漏電遮断器の漏電表示装置を提供することである。
【０００７】
【課題を解決するための手段】
上記目的を達成するために、漏電が発生した際に電磁石装置の電磁コイルに通電し、電磁コイルが励磁してプランジャーがスプリングの力に抗して吸引され、プランジャーと漏電表示ボタンの係止が解除され、バネによって漏電表示ボタンが押し上げられて遮断器ケースから外部に突出し、漏電が発生したことを知らせる漏電遮断器の漏電表示装置において、電磁石装置の電磁コイルが巻回されるボビンに弾性係止片を一体に形成し、漏電発生時にプランジャーが電磁コイルに吸引された際にプランジャーと弾性係止片とが係止することを特徴とする。
【０００８】
【発明の実施の形態】
電磁石装置の電磁コイルが巻回されるボビンに弾性係止片を一体に形成し、漏電の発生時、電磁石装置の電磁コイルが通電して励磁することによってプランジャーがスプリングのバネ力に抗して電磁コイルに吸引された際に、弾性係止片とプランジャーが係止してプランジャーが元の位置に戻らないようにし、漏電表示ボタンが遮断器ケースの上面から突出して確実に漏電を表示する。
【０００９】
【実施例】
本発明に係る漏電遮断器の漏電表示装置の一実施例を図１及び図２の添付図面に基づいて説明する。
【００１０】
漏電遮断器の漏電表示装置１は、漏電発生時に駆動する電磁石装置２と一体に設けられ、遮断器ケース３の上面から出没自在に設けられた漏電表示ボタン４と、漏電表示ボタン４を遮断器ケース３の上面から突出させるために上方へ付勢するバネ５とで構成されている。
【００１１】
また、電磁石装置２は、合成樹脂製のボビン６と、ボビン６に巻回される電磁コイル７と、電磁コイル７に挿通されるプランジャー８と、プランジャー８を突出する方向に付勢するスプリング９とで構成されている。
【００１２】
漏電表示ボタン４はボビン６の端部に形成された支持孔６ａに挿通して装着され、漏電表示ボタン４とボビン６との間に設けられたバネ５によって上方に付勢されている。通常時、漏電表示ボタン４はバネ５の力に抗して押し下げられ、漏電表示ボタン４に形成された係止孔４ａにプランジャー８が貫通して係止することにより遮断器ケース４から突出しない状態に保持されている。尚、このとき、電磁石装置２のプランジャー８はスプリング９のバネ力によって電磁コイル７から少し突出している。
【００１３】
漏電遮断器は、漏電が発生すると電磁石装置２の電磁コイル７を通電し、電磁コイル７が励磁することによってプランジャー８がスプリング９のバネ力に抗して電磁コイル７に吸引される。これによって、プランジャー８の凹部８ａが漏電表示ボタン４の係止孔４ａの位置まで移動すると、バネ５の力によって漏電表示ボタン４の係止孔４ａがプランジャー８の凹部８ａに嵌まり、漏電表示ボタン４の先端が遮断器ケース３の上面から突出して漏電を表示するようになっている。
【００１４】
ボビン６には略三角形状の係止突起６ｃを先端に有する弾性係止片６ｂが一体に形成され、プランジャー８が電磁コイル７に吸引された際にプランジャー８に形成された係止凹部８ｂに弾性係止片６ｂの係止突起６ｃが係止してプランジャー８がスプリング９のバネ力によって元の位置に戻らないようになっている。このため、漏電表示が確実に行われる。
【００１５】
尚、漏電表示ボタン４及び弾性係止片６ｂは漏電遮断器の操作ハンドル（図示せず）をオン操作する際に下方向に引っ張るように連動させることにより、リセットすることができる。
【００１６】
【発明の効果】
以上説明したように漏電が発生した際に電磁石装置の電磁コイルに通電し、電磁コイルが励磁してプランジャーがスプリングの力に抗して吸引され、プランジャーと漏電表示ボタンの係止が解除され、バネによって漏電表示ボタンが押し上げられて遮断器ケースから外部に突出し、漏電が発生したことを知らせる漏電遮断器の漏電表示装置において、電磁石装置の電磁コイルが巻回されるボビンに弾性係止片を一体に形成し、漏電発生時にプランジャーが電磁コイルに吸引された際にプランジャーと弾性係止片とが係止することにより、部品点数を減少させ、組み立てに手間がかからず、コストを低減することができるという効果がある。
【図面の簡単な説明】
【図１】本発明に係る漏電遮断器の漏電表示装置の動作前を示す正面図である。
【図２】本発明に係る漏電遮断器の漏電表示装置の動作後を示す正面図である。
【図３】従来の漏電遮断器の漏電表示装置の動作前を示す正面図である。
【図４】従来の漏電遮断器の漏電表示装置の動作後を示す正面図である。
【符号の説明】
１　　漏電表示装置
２　　電磁石装置
３　　遮断器ケース
４　　漏電表示ボタン
５　　バネ
６　　ボビン
６ａ　支持孔
６ｂ　弾性係止片
６ｃ　係止突起
７　　電磁コイル
８　　プランジャー
８ａ　凹部
８ｂ　係止凹部
９　　スプリング
【図１】
2004055421.tif 000003
【図２】
2004055421.tif 000004
【図３】
2004055421.tif 000005
【図４】
2004055421.tif 000006